(57)【要約】【課題】帯電ブラシ４７のヘタリによる感光ドラム４１の帯電ムラを確実に防止する。【解決手段】画像形成装置の記録部１３に配置される帯電装置４２は、帯電ブラシ４７を備えており、この帯電ブラシ４７は、回転軸５６と、この回転軸５６の周囲に多数備えられる導電性の毛体５７と、を備える。毛体５７は、その少なくとも先端が斜方に向くように、斜毛処理が施されている。毛体５７は、ブラシ停止時には感光ドラム４１の表面から離間する一方、ブラシ回転時（選択図）においては遠心力によって感光ドラム４１の表面に接触するように構成する。帯電装置４２は、帯電ブラシ４７の外側を覆う円弧内壁面５８を有するカバー５９を備える。円弧内壁面５８の半径ｒは、ブラシ回転時における毛先円の半径ｒ２よりも小さく設定されており、更に言えば、ブラシ停止時の毛先円の半径ｒ１と等しく設定されている（ｒ＜ｒ２，ｒ＝ｒ１）。【選択図】図４
2007322559.tif 000002
【特許請求の範囲】
【請求項１】
感光ドラムに接触しながら回転することで当該感光ドラムの表面を帯電させる帯電ブラシを備える帯電装置において、
前記帯電ブラシは、
回転軸と、
この回転軸の周囲に複数備えられるとともにその少なくとも先端が斜方に向けられている導電性の毛体と、
を備え、
前記毛体は、前記回転軸の停止時には前記感光ドラムの表面から離間する一方、前記回転軸の回転時には遠心力によって前記感光ドラムの表面に接触するように構成し、
前記帯電ブラシの外側を覆う円弧内壁面を有するカバーを備え、この円弧内壁面の半径が、前記回転軸の回転時における毛先円の半径よりも小さいことを特徴とする帯電装置。
【請求項２】
請求項１に記載の帯電装置であって、
前記円弧内壁面の半径は、前記回転軸の停止時における毛先円の半径と等しいことを特徴とする帯電装置。
【請求項３】
請求項１又は２に記載の帯電装置であって、
前記毛体の先端の倒れ方向が、回転する前記感光ドラムの周面移動方向に沿う方向であることを特徴とする帯電装置。
【請求項４】
請求項１から３までの何れか一項に記載の帯電装置であって、
前記円弧内壁面の少なくとも一端側にガイド壁面が配置され、このガイド壁面は前記円弧内壁面に滑らかに接続していることを特徴とする帯電装置。
【請求項５】
請求項１から４までの何れか一項に記載の帯電装置と、前記感光ドラムと、を備えることを特徴とする感光ドラムユニット。
【請求項６】
請求項１から４までの何れか一項に記載の帯電装置と、前記感光ドラムと、を備えることを特徴とする画像形成装置。
【発明の詳細な説明】
【技術分野】
【０００１】
本発明は、感光ドラムを帯電させるために導電性の毛体を多数備える帯電ブラシを備えた帯電装置、感光ドラムユニット及び画像形成装置に関する。
【背景技術】
【０００２】
特許文献１は、ブラシ帯電器の帯電ブラシを斜毛処理することにより、ブラシ帯電器を画像形成装置へ装着し、帯電動作を始めるまでは感光体と接触させない状態とし、帯電動作開始時（回転時）には遠心力又は静電吸着力によってブラシが感光体と接触するようにする構成を開示する。特許文献１は、これにより、帯電ブラシがへたって当接力が低下するのを防止できるとする。
【特許文献１】特開２００５−１７３１８５（図２（ａ）、図２（ｂ）、００１３〜００１５等）
【発明の開示】
【発明が解決しようとする課題】
【０００３】
しかしながら、例えばオフィスで使用される画像形成装置においては、頻繁に印刷要求が発生し、その度にブラシ帯電器を回転させる必要がある。この場合、上記特許文献１の構成では、強い遠心力が長時間にわたって帯電ブラシに作用するために斜毛の癖付けが弱まり、長期間の使用により、回転停止時においても帯電ブラシが感光体と接触するようになってしまう。
【０００４】
この結果、結局はブラシ帯電器に部分的にヘタリが生じて帯電ムラやジッタの原因となり、画像の歪みを生じたり、特に中間調の画像において濃淡ムラが生じるなど、画質低下の原因となってしまっていた。
【課題を解決するための手段及び効果】
【０００５】
本発明の解決しようとする課題は以上の如くであり、次にこの課題を解決するための手段とその効果を説明する。
【０００６】
本発明の第１の観点によれば、以下の構成の帯電装置が提供される。即ち、感光ドラムに接触しながら回転することで当該感光ドラムの表面を帯電させる帯電ブラシを備える。前記帯電ブラシは、回転軸と、この回転軸の周囲に複数備えられるとともにその少なくとも先端が斜方に向けられている導電性の毛体と、を備える。前記毛体は、前記回転軸の停止時には前記感光ドラムの表面から離間する一方、前記回転軸の回転時には遠心力によって前記感光ドラムの表面に接触するように構成する。前記帯電ブラシの外側を覆う円弧内壁面を有するカバーを備え、この円弧内壁面の半径が、前記回転軸の回転時における毛先円の半径よりも小さくなっている。
【０００７】
この構成では、回転軸の回転時において、カバーの円弧内壁面に対面した位置にある毛体は、当該円弧内壁面によって強制的に倒されることになる。従って、回転軸を長時間駆動しても斜毛の度合いが弱まることがないので、回転軸の停止時に毛体を感光ドラムの表面から確実に離間させることができる。この結果、帯電ブラシのヘタリを防止でき、良好な画質の画像を安定して形成することができる。
【０００８】
前記の帯電装置においては、前記円弧内壁面の半径は、前記回転軸の停止時における毛先円の半径と等しいことが好ましい。
【０００９】
これにより、回転軸の回転時においても、毛体の毛先の軌跡が回転軸の停止時の毛先円と一致するように、カバーの円弧内壁面によって毛体が強制的に倒される。従って、毛体は本来の斜毛の度合いを確実に保つので、回転軸の停止時において毛体を感光ドラムの表面から確実に離間させることができる。
【００１０】
前記の帯電装置においては、前記毛体の先端の倒れ方向が、回転する前記感光ドラムの周面移動方向に沿う方向であることが好ましい。
【００１１】
これにより、帯電ブラシの回転に対し毛体が突っ張って抗することがないので、帯電ブラシを円滑に回転させて感光ドラムの表面を擦り、良好に帯電させることができる。
【００１２】
前記の帯電装置においては、前記円弧内壁面の少なくとも一端側にガイド壁面が配置され、このガイド壁面は前記円弧内壁面に滑らかに接続していることが好ましい。
【００１３】
これにより、円弧内壁面の端部に毛体が当たって傷んだり切れたりすることが防止されるので、帯電ムラや電流リークを回避することができる。
【００１４】
本発明の第２の観点によれば、前記の帯電装置と、前記感光ドラムと、を備える感光ドラムユニットが提供される。
【００１５】
また、本発明の第３の観点によれば、前記の帯電装置と、前記感光ドラムと、を備える画像形成装置が提供される。
【００１６】
これらの構成によれば、帯電ブラシにヘタリを生じることが防止でき、良好な画質の画像を安定して形成することができる。
【発明を実施するための最良の形態】
【００１７】
次に、発明の実施の形態を説明する。図１は本発明の一実施形態に係る複合機の全体的な構成を示した正面図一部断面図、図２は複合機の電源オフ状態における記録部の様子を示す正面断面拡大図、図３は複合機の電源がオンされ、駆動している記録部の様子を示す正面断面拡大図、図４は回転している帯電ブラシの様子を示す要部拡大図である。
【００１８】
図１に示す電子写真式画像形成装置としての複合機１は、ファクシミリ機能とコピー機能を兼ね備えたものに構成されている。この複合機１の筐体１０の上部には、ファクシミリ送信原稿やコピー原稿をセット可能な原稿読取部１１が備えられる。また、筐体１０の下部には、記録媒体としての用紙２を積層した状態でストック可能な給紙部１２が備えられる。そして、筐体１０の中段部分には、記録部１３、定着部１４及び排紙部１５が並べて備えられている。
【００１９】
原稿読取部１１は、オートドキュメントフィーダ及びフラットベッドを備え、ＣＣＤセンサによって原稿を読み取るように構成されている。給紙部１２は、正面側（図１の紙面手前側）に引出可能な２つの給紙トレイ、即ち上段トレイ２１及び下段トレイ２２を備えている。
【００２０】
上段トレイ２１において、用紙２は、回動自在に備えられた板状のフラッパ３１の上に複数枚重ねて積層される。このフラッパ３１の上方には扇型の給紙ローラ３２が配置されている。そして、図示しない付勢バネによって前記フラッパ３１を上方へ押し上げつつ、前記給紙ローラ３２が図１の矢印方向に駆動されることで、最上層の用紙２が分離されて１枚ずつピックアップされ、記録部１３へ向けて送り出される。なお、下段トレイ２２においても、上段トレイ２１と全く同様の構成の給紙機構が構成されている。
【００２１】
図１に示すように、複合機１の筐体１０の内部には、給紙部１２から記録部１３及び定着部１４を経由して排紙部１５に至る、湾曲状の用紙搬送経路１６が構成されている。この用紙搬送経路１６において、給紙ローラ３２より下流側にはフィードローラ３３が配置され、更に下流側にはレジストローラ３４が配置される。また、フィードローラ３３及びレジストローラ３４に対向するように従動ローラがそれぞれ設けられており、各従動ローラはフィードローラ３３及びレジストローラ３４に対して付勢されている。この構成で、フィードローラ３３及びレジストローラ３４は、従動ローラとの間で用紙２をニップしながらそれぞれ回転駆動することで、用紙２を下流側の記録部１３へ搬送する。
【００２２】
記録部１３の拡大図が図２に示され、この図２に示すように、画像形成部としての記録部１３は、感光ドラム４１の周囲に、帯電装置４２と、ＬＥＤヘッド４３と、現像器４４と、転写ローラ４５と、メモリ除去ブラシ４６と、を配置して構成されている。
【００２３】
感光ドラム４１は、アルミニウムで形成された筒の外周面に有機感光体層を形成して構成されている。また、帯電ブラシ４７は、金属の軸からなる回転軸５６の表面に導電性の毛体５７を多数植え付けた構成とするとともに、図示しない高圧電源から高電圧が印加されている。回転軸５６には感光体ドラムの端部に取り付けた図示しないギアから駆動が伝達され、回転駆動できるように構成されている。
【００２４】
毛体５７には適宜の斜毛処理が施され、その先端が放射方向から周方向一側に傾くように倒れ癖が付けられている。この斜毛処理方法としては、例えば、回転軸５６に直線状のブラシの毛（毛体５７）を放射状に植毛して形成した直毛形のブラシを、斜毛後の径の内径を有するパイプに回転させながら挿入し、この状態でパイプ内に高温スチームを導入して癖付けする方法が考えられる。
【００２５】
そして、前記帯電ブラシ４７の外側を覆うようにカバー５９が設けられている。このカバー５９は例えば合成樹脂製とされ、その内部には、前記帯電ブラシ４７の毛体５７に接触可能な円弧内壁面５８が形成されている。
【００２６】
帯電ブラシ４７を収納する前記カバー５９は断面円弧状（略Ｃ字状）に形成されており、前記感光ドラム４１に対向する側が開放されている。このカバー５９の開放部分の縁には、毛体５７の毛先を案内するためのガイド壁面６６，６７が備えられている。このガイド壁面６６，６７は、円弧状に形成されるとともに、前記円弧内壁面５８の端部に滑らかに接続している。
【００２７】
図２には複合機１の電源がオフとされている状態が示され、このとき、回転軸５６は回転せず停止している（ブラシ停止状態）。なお、複合機１の電源がオンとなっていても印刷要求が長時間ない場合は、複合機１の図示しないコントローラは節電のために記録部１３等の各部の駆動を停止するよう制御するので、回転軸５６はこの場合も同様に停止される。このブラシ停止状態においては、図２に示すように、カバー５９の開放部分においても前記毛体５７は感光ドラム４１の表面から離間し、適宜の隙間を形成している。
【００２８】
一方、複合機１の電源が投入され、ファクシミリ原稿を受信したときやコピーを行ったとき等には、図３に示すように、感光ドラム４１や帯電ブラシ４７の回転軸５６を含め、記録部１３の種々のローラや軸等が回転駆動される。この図３で示すように、回転軸５６が回転している状態（ブラシ回転状態）では、前記カバー５９の開放部分において、毛体５７が遠心力によって起立側に姿勢を変更するので、その先端が感光ドラム４１の表面に接触する。
【００２９】
なお、前述したとおり、帯電ブラシ４７には高圧電源から高電圧が印加されている。この結果、感光ドラム４１の周面（表面）を毛体５７が擦ることで、感光ドラム４１の表面が均一に帯電することになる。
【００３０】
図４にはブラシ回転状態における帯電装置４２の拡大図が示され、この図４に示すように、前記カバー５９の円弧内壁面５８は回転軸５６と同心配置されている。また、この円弧内壁面５８の半径ｒは、帯電ブラシ４７が回転して毛体５７が起立状態となったときの毛先円ｃ２の半径ｒ２よりも小さく設定されている（ｒ＜ｒ２）。更に言えば、前記円弧内壁面５８の半径ｒは、ブラシ停止時の毛先円ｃ１の半径ｒ１と等しくなるよう構成されている（ｒ＝ｒ１）。
【００３１】
ここで、帯電ブラシ４７が回転したときの毛先円ｃ２とは、カバー５９を取り外して帯電ブラシ４７を回転させたと仮定したときに、遠心力により毛体５７が若干起立姿勢になったときの各毛体５７の先端を結んだ円をいう。また、ブラシ停止状態の毛先円ｃ１とは、帯電ブラシ４７が停止しているときの各毛体５７の先端を結んだ円をいう。従って、ブラシ回転状態の毛先円ｃ２は、遠心力によって、ブラシ停止状態の毛先円ｃ１よりも大きくなることはいうまでもない（ｒ２＞ｒ１）。
【００３２】
以上の構成で、回転軸５６が回転駆動されている場合を考える。このとき、カバー５９の円弧内壁面５８に対面した位置にある毛体５７は、遠心力によって若干起立しようとするのを、当該円弧内壁面５８によって阻止される。従って、前記斜毛処理によって付与された毛体５７の倒れ癖が遠心力によって弱まることが防止される。しかも、前記円弧内壁面５８の半径ｒがブラシ停止時の毛先円ｃ１の半径ｒ１と等しくなっているので（ｒ＝ｒ１）、各毛体５７は、回転を再び停止させた時に毛先が前記毛先円ｃ１からはみ出さないように、カバー５９によって確実に癖付けされることになる。
【００３３】
一方、カバー５９の開放部分に位置している毛体５７は、回転に伴う遠心力によって若干起立姿勢となりつつ感光ドラム４１の表面に接触する。そして、更に帯電ブラシ４７が回転すると、毛体５７は感光ドラム４１の表面から離れ、直ちにカバー５９のガイド壁面６６に接触し、再び倒れ姿勢を徐々に強めることになる。なお、ガイド壁面６６は円弧内壁面５８の端部に対し滑らかに接続しているので、円弧内壁面５８の端部に鋭いエッジが現れることはなく、毛体５７が円弧内壁面５８の端部に当たって損傷したり切れたりすることは防止される。なお、円弧内壁面５８の反対側の端部にもガイド壁面６７が滑らかに接続しているので、この部分においても毛体５７が損傷したり切れたりすることはない。
【００３４】
なお、図４に示すように、前記毛体５７の倒れ方向（先端の倒れ方向、癖付け方向）は、回転する前記感光ドラム４１の周面移動方向に沿う方向となっている。従って、帯電ブラシ４７の周面と感光ドラム４１の周面とを互いに逆方向に擦り合わせるように両者を回転駆動した場合（図４）、帯電ブラシ４７の目がいわゆる順目になるので、毛体５７が突っ張って回転に抗することがなく、帯電ブラシ４７を円滑に回転させることができる。
【００３５】
露光器としてのＬＥＤヘッド４３は、図３に示すように、前記帯電ブラシ４７より下流側（感光ドラム４１の回転方向の下流側をいう。以下同じ。）に配置されており、発光ダイオード（ＬＥＤ）を用紙幅方向に多数並べて備えた構成となっている。そしてＬＥＤヘッド４３は、電話回線を介して受信したファクシミリ原稿の画像データや、原稿読取部１１で読み取った画像データに対応して選択的に発光する。この結果、感光ドラム４１の表面が選択的に露光され、露光部分の電荷エネルギーが消失することで静電潜像が形成される。
【００３６】
現像器４４はＬＥＤヘッド４３の下流側に配置されており、非磁性一成分トナーを収容するトナー容器６１を備えるとともに、トナーの撹拌のためにトナー容器６１の内部で回転駆動される撹拌ブレード６２を備えている。更に、現像器４４は、トナー容器６１の内部に配置される供給ローラ６３と、この供給ローラ６３及び前記感光ドラム４１の両方に接触して配置される現像ローラ６４と、この現像ローラ６４の外周面に接触するように配置される規制ブレード６５と、を備えている。
【００３７】
この構成で、供給ローラ６３と現像ローラ６４とは、互いに周面を逆方向に擦るように回転駆動される。また、規制ブレード６５の先端は、回転駆動される現像ローラ６４の周面を擦ることになる。この結果、トナー容器６１内のトナーは摩擦帯電され、現像ローラ６４の表面に電位差によって付着する。現像ローラ６４の表面のトナーｔは、規制ブレード６５によって付着厚さが均一になるよう調整されるとともに、当該現像ローラ６４の回転によって感光ドラム４１側へ送られる。
【００３８】
その後、感光ドラム４１と現像ローラ６４との接触部分において、現像ローラ６４の表面のトナーｔは、感光ドラム４１の前記ＬＥＤヘッド４３による露光部に相当する部分においてのみ、選択的に感光ドラム４１の表面へ移動する。この結果、感光ドラム４１の表面上にトナー像が形成される。
【００３９】
転写ローラ４５は、前記現像器４４の下流側に配置されるとともに、感光ドラム４１から用紙搬送経路１６（用紙２）を挟んで反対側に配置されている。また、この転写ローラ４５には高圧電源からの高電圧が印加されている。従って、感光ドラム４１の表面に形成されたトナー像は、感光ドラム４１の回転によって転写ローラ４５側へ近づくように移動し、その電界吸引力によって用紙２に転写される。ただし、トナー像のトナーｔが用紙２に全て転写されることはなく、転写しきれなかったトナーは感光ドラム４１の表面に残留トナー（未転写トナー）ｔｒとして残留することになる。
【００４０】
メモリ除去ブラシ４６は転写ローラ４５の下流側に配置されており、そのブラシ先端が感光ドラム４１の表面に接触するとともに、所定のバイアス電圧が印加されている。この構成で、感光ドラム４１の表面の残留トナーｔｒは、メモリ除去ブラシ４６により、感光ドラム４１の表面に均一に拡散（分散）される。なお、メモリ除去ブラシ４６には前述のようにバイアス電圧が印加されているので、残留トナーｔｒはより効果的に分散されることになる。
【００４１】
上記のように感光ドラム４１の表面に拡散された残留トナーｔｒは、当該感光ドラム４１の回転に伴って、下流側の前記帯電ブラシ４７を通過する。なお、帯電ブラシ４７の毛体５７が感光ドラム４１の表面を擦るのに伴って、残留トナーｔｒが毛体５７側に付着することも考えられるが、毛体５７は図４に示すようにカバー５９の端部の前記ガイド壁面６６に当たるので、毛体５７に付着した残留トナーｔｒは振り払われて落下することになる。同様に、感光ドラム４１の表面に付着して毛体５７に移行した紙粉も、ガイド壁面６６に毛体５７が当たることで振り落とされる。このフリッカー効果により、帯電ブラシ４７側に残留トナーｔｒ等の異物が付着して蓄積し、帯電効果に悪影響を与えることが回避される。
【００４２】
図３に示すように、帯電ブラシ４７を通過した残留トナーｔｒは更にＬＥＤヘッド４３を通過する。ＬＥＤヘッド４３により露光された部分の残留トナーｔｒは、現像ローラ６４からのトナーｔとともに用紙２に転写される。未露光部分の残留トナーｔｒは、電位差により現像ローラ６４の表面に移動し、現像器４４に回収される（クリーナレス方式）。
【００４３】
上述した記録部１３の構成（図３）のうち、少なくとも感光ドラム４１、帯電ブラシ４７、カバー５９、及びメモリ除去ブラシ４６は、合成樹脂製のハウジング５１に収納され、感光ドラムユニット５２として一体的に取り扱うことが可能になっている。また、少なくとも撹拌ブレード６２、供給ローラ６３、現像ローラ６４、及び規制ブレード６５は、合成樹脂製の前記トナー容器６１に取り付けられており、トナーカートリッジ６８として一体的に取り扱うことが可能になっている。感光ドラムユニット５２及びトナーカートリッジ６８は、複合機１に対し脱着可能に構成されており、必要に応じて交換することができる。
【００４４】
記録部１３において上述のように用紙２に転写された前記トナー像は、前記転写ローラ４５に近接して配置されている除電ブラシ５５によって電位を除かれる。用紙２は、感光ドラム４１の回転によって、用紙搬送経路１６の下流側の定着部１４へ送られる。
【００４５】
図１に示すように、定着部１４は、加熱源（ハロゲンランプ等）を内蔵するとともに回転駆動されるヒートローラ７１と、このヒートローラ７１に対向して配置されるプレスローラ７２と、を備えている。プレスローラ７２は図略の付勢バネによって、ヒートローラ７１に対して押し付けられている。この構成で、用紙２がヒートローラ７１とプレスローラ７２との間を通過すると、高温のヒートローラ７１の熱及びプレスローラ７２による圧力によって、トナー像のトナーｔが融解して用紙２に定着する。なお、定着部１４には、用紙２がヒートローラ７１に貼り付いたまま周囲に巻き付くことを防止するための分離爪７３が設けられている。
【００４６】
排紙部１５は、回転駆動される排紙ローラ７７と、排出された用紙２をストックする排紙トレイ７８と、を備えている。この構成で、定着部１４から送られてきた用紙２は、排紙ローラ７７とそれに対向配置される従動ローラとの間でニップされ、排紙トレイ７８上に排出される。
【００４７】
以上に示すように、本実施形態の複合機１において記録部１３の帯電装置４２は帯電ブラシ４７を備え、この帯電ブラシ４７が感光ドラム４１に接触しながら回転することで当該感光ドラム４１の表面を帯電させるように構成している。そして、この帯電ブラシ４７は、回転軸５６と、この回転軸５６の周囲に多数備えられるとともに、その少なくとも先端が斜方に向けられるように癖付けされた導電性の毛体５７と、を備えている。前記毛体５７は、回転軸５６の停止時（図２）には感光ドラム４１の表面から離間する一方、回転軸５６の回転時（図３、図４）には遠心力によって感光ドラム４１の表面に接触するように構成している。また、帯電装置４２は前記帯電ブラシ４７の外側を覆う円弧内壁面５８を有するカバー５９を備え、図４に示すように、この円弧内壁面５８の半径ｒが、回転軸５６の回転時における毛先円の半径ｒ２よりも小さくなるように構成している（ｒ＜ｒ２）。
【００４８】
これにより、回転軸５６の回転時（図４）において、カバー５９から露出して感光ドラム４１の表面を擦る位置以外の位置にある毛体５７は、カバー５９の円弧内壁面５８に対面し、この円弧内壁面５８によって強制的に倒されることになる。従って、回転軸５６を長時間回転駆動しても斜毛の度合いが弱まることがないので、回転軸５６の停止時（図２）において、毛体５７を感光ドラム４１の表面から確実に離間させることができる。この結果、帯電ブラシ４７のヘタリを防止でき、帯電ムラ、ジッタ及び駆動ムラを回避できるので、良好な画質の画像を安定して形成することができる。
【００４９】
また、前記帯電装置４２において、円弧内壁面５８の半径ｒは、回転軸の停止時における毛先円の半径ｒ１と等しくなっている（ｒ＝ｒ１）。
【００５０】
これにより、ブラシ回転時の毛体５７は、カバー５９の円弧内壁面５８によって、その毛先の軌跡がブラシ停止時の毛先円ｃ１と一致するように規制される。従って、毛体５７は癖付けされた斜毛の程度を確実に保つので、回転軸の停止時において毛体５７を感光ドラム４１の表面から確実に離間させることができる。
【００５１】
また、前記毛体５７の先端の倒れ方向は、回転する前記感光ドラム４１の周面の移動する方向に沿うように斜毛処理が施されている。
【００５２】
これにより、帯電ブラシ４７の回転に対し毛体５７が突っ張って抗することがないので、帯電ブラシ４７を円滑に回転させて感光ドラム４１の表面を擦り、良好に帯電させることができる。
【００５３】
また、前記円弧内壁面５８の両端側にはガイド壁面６６，６７が配置され、このガイド壁面６６，６７は前記円弧内壁面に滑らかに接続している。
【００５４】
これにより、回転軸５６の回転に伴って毛体５７がカバー５９内に入ったり出たりする際に、円弧内壁面５８の端部によって毛体５７が傷んだり切れたりすることが防止される。従って、帯電ブラシ４７の寿命を延ばすことができるとともに、帯電ムラや、切れた毛体５７による電流リークを防止することができる。
【００５５】
以上に説明した実施形態は、例えば以下のように変更することができる。
【００５６】
毛体５７は、回転軸５６に放射状に植毛し、先端部を斜めに癖付けすることに代えて、例えば、毛体の根元部分が放射方向から傾くように回転軸５６に植毛する構成に変更することができる。
【００５７】
ガイド壁面６６，６７は、断面円弧状に形成することに代えて、円弧内壁面５８に接線状に接続する平面状のガイド壁面に形成することができる。また、一側のガイド壁面６６，６７を省略することもできる。
【００５８】
上記に例示した記録部１３は、複合機１に限らず、ファクシミリ機、コピー機、プリンタ等に適用することができる。
【図面の簡単な説明】
【００５９】
【図１】本発明の一実施形態に係る複合機の全体的な構成を示した正面図一部断面図。
【図２】複合機の電源オフ状態における記録部の様子を示す正面断面拡大図。
【図３】複合機の電源がオンされ、駆動している記録部の様子を示す正面断面拡大図。
【図４】回転している帯電ブラシの様子を示す要部拡大図。
【符号の説明】
【００６０】
１  複合機（画像形成装置）
２  用紙
１０  筐体
１１  原稿読取部
１２  給紙部
１３  記録部
１４  定着部
１５  排紙部
１６  用紙搬送経路
２１  上段トレイ
２２  下段トレイ
３１  フラッパ
３２  給紙ローラ
３３  フィードローラ
３４  レジストローラ
４１  感光ドラム
４２  帯電装置
４３  ＬＥＤヘッド
４４  現像器
４５  転写ローラ
４６  メモリ除去ブラシ
４７  帯電ブラシ
５１  ハウジング
５２  感光ドラムユニット
５５  除電ブラシ
５６  回転軸
５７  毛体
５８  円弧内壁面
５９  カバー
６１  トナー容器
６２  撹拌ブレード
６３  供給ローラ
６４  現像ローラ
６５  規制ブレード
６６，６７  ガイド壁面
６８  トナーカートリッジ
７１  ヒートローラ
７２  プレスローラ
７３  分離爪
７７  排紙ローラ
７８  排紙トレイ
ｃ１  ブラシ停止時の毛先円
ｃ２  ブラシ回転時の毛先円
ｒ  円弧内壁面の半径
ｒ１  ブラシ停止時の毛先円半径
ｒ２  ブラシ回転時の毛先円半径
ｔ  トナー
ｔｒ  残留トナー（未転写トナー）
【図１】
2007322559.tif 000003
【図２】
2007322559.tif 000004
【図３】
2007322559.tif 000005
【図４】
2007322559.tif 000006